(57)【要約】【課題】  従来に無い取付安定性に秀れ量産性やコスト面においても秀れた実用性に秀れた吊り下げ具を提供する。【解決手段】  物を吊り下げるバー状部やフック状部や環状部などの係止部１を突出状態に設けた基体Ａの上部に、下方に折り返し状に形成して取付箇所４に上方から被嵌係止する被嵌係止取付部２を設け、この被嵌係止取付部２の中央部に架設状態にして架設ピン部３を設け、前記取付箇所４が、部材が交差する交差部４である場合にこの交差部４に前記被嵌係止取付部２を上方から被嵌した際、この交差部４の上部Ｖ字状部４ａの谷部に前記架設ピン部３が配設されるように構成した吊り下げ具。【選択図】      図１
2007037838.tif 000002
【特許請求の範囲】
【請求項１】
物を吊り下げるバー状部やフック状部や環状部などの係止部を突出状態に設けた基体の上部に、下方に折り返し状に形成して取付箇所に上方から被嵌係止する被嵌係止取付部を設け、この被嵌係止取付部の中央部に架設状態にして架設ピン部を設け、前記取付箇所が、部材が交差する交差部である場合にこの交差部に前記被嵌係止取付部を上方から被嵌した際、この交差部の上部Ｖ字状部の谷部に前記架設ピン部が配設されるように構成したことを特徴とする吊り下げ具。
【請求項２】
前記基体の上部に板材を後方へ折曲して垂下した折り返し状の前記被嵌係止取付部を設け、この被嵌係止取付部の手前側の板部と後方側の板部の中央部間であって上端部より下方の前後方向に前記架設ピン部を架設して、Ｘ状に交差する前記交差部に前記被嵌係止取付部を上方から被嵌した際、前記被嵌係止取付部は交差部の上部Ｖ字状部の谷部より上側のＶ字辺部に位置すると共に、前記架設ピン部は上部Ｖ字状部の谷部に位置するように構成したことを特徴とする請求項１記載の吊り下げ具。
【請求項３】
前記被嵌係止取付部は、上方から被嵌係止するコ字状に形成し左右に開放部を有する構成とし、この被嵌係止取付部に架設する前記架設ピン部の位置を、この架設ピン部が前記交差部の上部Ｖ字状部の谷部に当接配設するように、若しくは前記被嵌係止取付部が前記交差部の上部Ｖ字状部の谷部より上側のＶ字辺部に当接し且つ前記架設ピン部がこの上部Ｖ字状部の谷部に位置するように設定したことを特徴とする請求項１，２のいずれか１項に記載の吊り下げ具。
【発明の詳細な説明】
【技術分野】
【０００１】
本発明は、例えばラティスの壁面などの格子状の取付箇所に被嵌係止した基体に物を吊り下げることで取付箇所に物を吊り下げ配設し得るように構成した吊り下げ具に関するものである。
【背景技術】
【０００２】
例えば、取付箇所に基体の上部を取り付けて、この基体の突出状態に設けたバー上部やフック状部や環状部など係止部に植物を植えた容器などの様々なものを吊り下げることで、この取付箇所に物を吊り下げ配設する吊り下げ具が従来から種々提案されている。
【０００３】
この種の吊り下げ具において、例えば、格子材をＸ字状に複数交差配設して格子状に構成したラティスパネルの壁面など、部材が交差する交差部（取付箇所）に取り付けて使用するように構成したものがあり、このような吊り下げ具において、基体を交差部（取付箇所）に取り付ける構成としては次のようなものがる。
【０００４】
例えば、基体の上部に、線材を鉤状に湾曲して形成した鉤状の取付部を設け、この鉤状の取付部を、交差部（取付箇所）の上部Ｖ字状部の谷部に上方から引っ掛けてこの基体を交差部に取り付ける構成がある。
【０００５】
しかし、この鉤状の取付部を設けたタイプの吊り下げ具は、単に線材を鉤状に折曲して形成した線状の取付部を、交差部（取付箇所）の上部Ｖ字状部の谷部に引っ掛けることで基体を取り付ける構成に過ぎない為、この交差部に対して取付部が水平方向に回動してこの交差部に対して基体がガタついてしまったり、この取付部が交差部の上部Ｖ字状部の谷部を支点として簡単に振り子のように揺れ動き、よって、交差部に対して基体が簡単に揺動してしまうなど安定性が悪く、しかも、この取付部が単に線材を湾曲した華奢な構成の為にそれだけ強度が低いなどの問題を有した。
【０００６】
また、例えば基体の上部に、下方に折り返し状に形成した取付部を設け、この折り返し状の取付部を、交差部（取付箇所）に上方から被嵌してこの交差部に基体を取り付ける構成がある。
【０００７】
この下方に折り返し状に形成した取付部を設けたタイプの吊り下げ具は、単に線状の取付部を交差部の上部Ｖ字状部の谷部に引っ掛ける構成に比して、下方に折り返し状に形成した取付部を交差部に上方から被嵌係止する構成の為、それだけこの取付部が交差部に対して水平方向に回動することが無く、よってこの交差部に取り付けた基体のガタつきが少なくそれだけ安定性に秀れた構成である。しかも、この下方に折り返し状に形成した取付部は、交差部に上方から被嵌係止することで、この取付部が、例えば交差部の上部Ｖ字状部の谷部より上側のＶ字辺部間など、交差する部材間に架設状態に載置配設されることとなる為、この取付部がこの交差部の上部Ｖ字状部の谷部を支点に振り子のように揺れ動くことを抑止でき、よってこの交差部に取り付けた基体が振り子のように揺動することも可及的に抑止できこの点においても安定性に秀れた構成である。
【０００８】
しかしながら、この下方に折り返し状に形成した取付部を設けたタイプの吊り下げ具は、交差部に対して取付部が水平方向に回動して基体がガタついたり、交差部の上部Ｖ字状部の谷部を支点に取付部が振り子のように揺れ動いて基体が揺動したりすることを良好に抑止でき安定性に秀れるものの、仮に基体や基体に吊り下げた物が揺れ動き交差部に対して取付部がズレ動いてこの交差部に対する取付部の取付姿勢が傾いてしまうと、この交差部に対して取付部が振り子のように揺れ動くことが抑止された構成であるが故にこの交差部が正しい取付姿勢に自然に戻り復帰せず、よって、この交差部に対して基体の取付姿勢が傾いた状態となることが多々あり問題であった。
【０００９】
しかしながら、この下方に折り返し状に形成した取付部を設けたタイプの吊り下げ具は、単に線材を湾曲して鉤状に形成した取付部を設けた上記のタイプに比して、安定性や強度面において秀れた構成であり、従って、交差部（取付箇所）に対して基体の取付姿勢が多少傾いたりすることは仕方がないとされていた。
【発明の開示】
【発明が解決しようとする課題】
【００１０】
本発明は、上記の問題点を解決するものであって、取付箇所に上方から被嵌係止し得る下方に折り返し形状の被嵌係止取付部を基体の上部に設けて、この被嵌係止取付部を取付箇所に上方から被嵌係止して基体を取付箇所に取り付けることができ、この取付箇所が仮に部材が交差する交差部であった場合においても、この交差部に対して基体がガタついたり振り子のように揺れ動いたりすることを抑止でき、更に、この下方に折り返し状の被嵌係止取付部の中央部には架設状態にして架設ピンを設けると共にこの架設ピンはこの被嵌係止取付部を交差部に上方から被嵌した際に丁度この交差部の上部Ｖ字状部の谷部に配設されるように構成することで、この下方に折り返し状に形成した被嵌係止取付部が交差部に対して取付姿勢を傾けてしまうことも阻止し得、従来にない秀れた安定性を有し、且つ、正しい取付姿勢で基体を交差部に取り付けることができ、よって、交差部に確実に、且つ安定性良く物を吊り下げて置くことができ、更に量産性を損ねたりコストアップの問題も生じ得ずあくまで従来品と略同様の生産コストで量産が可能であるなどの画期的で極めて実用性に秀れた吊り下げ具を提供するものである。
【課題を解決するための手段】
【００１１】
添付図面を参照して本発明の要旨を説明する。
【００１２】
物を吊り下げるバー状部やフック状部や環状部などの係止部１を突出状態に設けた基体Ａの上部に、下方に折り返し状に形成して取付箇所４に上方から被嵌係止する被嵌係止取付部２を設け、この被嵌係止取付部２の中央部に架設状態にして架設ピン部３を設け、前記取付箇所４が、部材が交差する交差部４である場合にこの交差部４に前記被嵌係止取付部２を上方から被嵌した際、この交差部４の上部Ｖ字状部４ａの谷部に前記架設ピン部３が配設されるように構成したことを特徴とする吊り下げ具に係るものである。
【００１３】
また、前記基体Ａの上部に板材を後方へ折曲して垂下した折り返し状の前記被嵌係止取付部２を設け、この被嵌係止取付部２の手前側の板部と後方側の板部の中央部間であって上端部より下方の前後方向に前記架設ピン部３を架設して、Ｘ状に交差する前記交差部４に前記被嵌係止取付部２を上方から被嵌した際、前記被嵌係止取付部２は交差部４の上部Ｖ字状部４ａの谷部より上側のＶ字辺部に位置すると共に、前記架設ピン部３は上部Ｖ字状部４ａの谷部に位置するように構成したことを特徴とする請求項１記載の吊り下げ具に係るものである。
【００１４】
また、前記被嵌係止取付部２は、上方から被嵌係止するコ字状に形成し左右に開放部を有する構成とし、この被嵌係止取付部２に架設する前記架設ピン部３の位置を、この架設ピン部３が前記交差部４の上部Ｖ字状部４ａの谷部に当接配設するように、若しくは前記被嵌係止取付部２が前記交差部４の上部Ｖ字状部４ａの谷部より上側のＶ字辺部に当接し且つ前記架設ピン部３がこの上部Ｖ字状部４ａの谷部に位置するように設定したことを特徴とする請求項１，２のいずれか１項に記載の吊り下げ具に係るものである。
【発明の効果】
【００１５】
本発明は上述のように構成したから、基体の上部に設けた被嵌係止取付部を取付箇所に被嵌係止してこの基体を取付箇所に取り付けて、この基体に突出状態に設けたバー上部やフック状部や環状部などの係止部に物を吊り下げることで、前記取付箇所に様々な物を吊り下げ配設できる。
【００１６】
また、この基体を取り付けたい取付箇所が、部材が交差する交差部であったとしても、この基体の上部に設けた前記被嵌係止取付部が前記交差部に上方から被嵌係止すると共にこの被嵌係止取付部の中央部に架設状態に設けた架設ピン部が前記交差部の上部Ｖ字状部の谷部に配設されることで、この交差部に対してこの被嵌係止取付部が水平方向に回動して基体がガタついたり、この交差部に対して被嵌係止取付分が振り子のように揺れ動いて基体が揺動したりすることを抑止できる。
【００１７】
よって、本発明は、従来例の下方に折り返し状に形成した取付部を設けたタイプの吊り下げ具と同様に、被嵌係止取付部が交差部に対して水平方向に回動して基体がガタついてしまうことを良好に抑止できるだけでなく、交差部に対してこの被嵌係止取付部の取付姿勢が傾いてしまい基体の取付姿勢が傾いてしまうといった問題も解決し得、極めて安定性良く、且つ、確実に正しい取付姿勢でこの基体を交差部に取り付けることができ、例えばラティスパネルの壁面などの部材が交差する交差部に安定性良く確実に物を吊り下げ配設することが可能で、更に、交差部に上方から被嵌係止できる従来例と同様の下方に折り返し状の被嵌係止取付部を基体に設け、この被嵌係止取付部に架設ピン部を設けただけの極めて簡単な構成でありながら上記秀れた作用効果を確実に発揮でき、よって、あくまで従来例と略同様の生産コストで簡易に生産できて量産性を損ねたりコストアップの心配も一切生じ得ず、例えば、複数の格子材がＸ状に交差配設された園芸用のラティスパネルの壁面に、植物容器などを吊り下げて飾る吊り下げ具として最適な極めて秀れた実用価値を有する画期的で商品価値の高い吊り下げ具となる。
【００１８】
また、請求項２記載の発明においては、単に板材を折曲して形成した被嵌係止取付部に架設ピン部を架設するだけの極めて簡易な構成で本発明品を実現でき、それだけ量産性の向上を一層良好に図り得、しかも、被嵌係止取付部の取付姿勢が傾くことを架設ピン部と交差部のＶ字状部の交差する部材との当接によって阻止する本発明の上記姿勢保持機能を一層確実に発揮でき、よって、一層実用性に秀れる。
【００１９】
また、請求項３記載に発明においては、基体の上部に設けた被嵌係止取付部を部材が交差する交差部に確実に、且つ良好に上方から被嵌係止できることは勿論、例えば板材を折曲するなどして極めて簡単に形成可能なコ字状の構成を採用したことで一層生産が容易にして量産性の向上を一層図り得る。また、基体の上部に設けた被嵌係止取付部が交差部に当接する、若しくはこの被嵌係止取付部に架設状態にして設けた架設ピン部が交差部に当接することで発揮される基体のガタつき阻止機能や基体の取付姿勢保持機能を一層確実に発揮できるなど、一層実用性に秀れる。
【発明を実施するための最良の形態】
【００２０】
好適と考える本発明の実施形態（発明をどのように実施するか）を、図面に基づいて本発明の作用を示して簡単に説明する。
【００２１】
基体Ａの上部に、下方に折り返し状に形成して設けた被嵌係止取付部２を、取付箇所４に上方から被嵌係止してこの取付箇所４に基体Ａを設ける。
【００２２】
この基体Ａに突出状態に設けたバー上部やフック状部や環状部などの係止部１に物を吊り下げることで、前記取付箇所４に様々な物を吊り下げ配設できる。
【００２３】
この基体Ａは、前記取付箇所４がたとえ部材が交差する交差部４であった場合においても、前記被嵌係止取付部２がこの交差部４に対して水平方向に回動することが抑止され、基体Ａのガタつきが阻止されることとなる。
【００２４】
即ち、基体Ａの上部に設けた下方に折り返し状の被嵌係止取付部２は、この基体Ａを交差部４に取り付ける際にこの交差部４に上方から被嵌係止する構成の為、仮にこの交差部４に対して被嵌係止取付部２が水平方向に回動しようとしても、この被嵌係止取付部２の下方に折り返し状の部位が邪魔となる（水平回動すると交差部４と当接する）為、それだけこの被嵌係止取付部２が交差部４に対して水平回動することが抑止され、よって、それだけこの被嵌係止取付部２の水平回動に伴う前記基体Ａのガタつきが抑止される。
【００２５】
またこのように被嵌係止取付部２を交差部４に上方から被嵌してこの基体Ａを交差部４に取り付けた際、従来例のように、この下方に折り返し状の被嵌係止取付部２が例えば交差部４の上部Ｖ字状部４ａの谷部より上方のＶ字辺部間など、交差する部材間に架設状態に載置配設される為に、仮にこの被嵌係止取付部２がズレ動きこの被嵌係止取付部２の取付姿勢が傾いてしまうと基体Ａの取付姿勢が傾いてしまうこととなるが、この点、本発明においては前記被嵌係止取付部２交差部４に対する取付姿勢が傾いてしまうことを可及的に阻止し得、よって、この基体Ａが交差部４に傾いた取付姿勢となってしまうことを阻止でき基体Ａを正しい取付姿勢に姿勢保持できることとなる。
【００２６】
即ち、基体Ａの被嵌係止取付部２の中央部に架設状態にして架設ピン部３を設けており、この被嵌係止取付部２を前記交差部４に上方から被嵌した際に、この交差部４の上部Ｖ字状部４ａの谷部にこの架設ピン部３が配設されるように構成している為、例えばこの架設ピン部３を交差部４の上部Ｖ字状部４ａの谷部に当接若しくは近接位置に配設されるように構成すれば、仮にこの被嵌係止取付部２がズレ動いて取付姿勢を傾けようとしても、この架設ピン部３が前記交差部４の上部Ｖ字状部４ａを構成する交差する部材のいずれか一方と当接する為にこの被嵌係止取付部２がこの交差部４に対して取付姿勢を傾けることができず、よって、この被嵌係止取付部２の取付姿勢が傾くことが架設ピン部３により可及的に阻止され、よって、基体Ａを正しい取付姿勢に姿勢保持できる。
【００２７】
このように、本発明は、従来例と同様に、取付箇所４としての交差部４に上方から被嵌係止できる下方に折り返し状の被嵌係止取付部２を基体Ａの上部に設けた構成としており、この被嵌係止取付部２に架設ピン部３を設けるだけの極めて簡単な構成でありながら、この被嵌係止取付部２の中央部に架設状態にしてこの架設ピン部３を設けてこの架設ピン部３が、前記交差部４に上方から被嵌係止取付部２を被嵌した際にこの交差部４の上部Ｖ字状部４ａの谷部に配設されるように位置設定することで、上記の通り秀れた基体Ａのガタ付き抑止機能と、基体Ａの取付姿勢保持機能とを確実に発揮し得ることとなり、従来例と略同様の生産コストで量産可能な簡易構成で本発明品を実現できることとなる。
【００２８】
よって、本発明は、単に、基体Ａの上部に、下方に折り返し状に形成した被嵌係止取付部２に架設ピン部３を設けただけの簡易構成でありながら、取付箇所４としての部材が交差する交差部４に安定性良く基体Ａを取り付けることができ、よって、このガタつきや取付姿勢の狂いが生ずることを阻止された安定性の良い基体Ａの係止部１に様々な物を吊り下げて前記取付箇所４に様々な物を安定性良く吊り下げ配設できる秀れた吊り下げ具となるうえに、あくまで従来の吊り下げ具と略同様な生産コストで簡易に生産可能で量産性を損ねたりコストアップの問題が生ずる心配も一切無い極めて実用性の高い吊り下げ具となる。
【００２９】
また、例えば、前記基体Ａの上部に板材を後方へ折曲して垂下した折り返し状の前記被嵌係止取付部２を設け、この被嵌係止取付部２の手前側の板部と後方側の板部の中央部間であって上端部より下方の前後方向に前記架設ピン部３を架設して、Ｘ状に交差する前記交差部４に前記被嵌係止取付部２を上方から被嵌した際、前記被嵌係止取付部２は交差部４の上部Ｖ字状部４ａの谷部より上部のＶ字辺分に位置すると共に前記架設ピン部３は上部Ｖ字状部４ａの谷部に位置するように構成した場合には、単に板材を折曲して形成した被嵌係止取付部２に架設ピン部３を架設するだけの極めて簡易な構成で本発明品を実現でき、それだけ量産性の向上を一層良好に図り得ることとなる。また、この被嵌係止取付部２を交差部４に上方から被嵌してこの被嵌係止取付部２を交差部４の上部Ｖ字状部４ａの谷部より上側のＶ字辺部に位置した時（Ｖ字辺部間に架設状態に載置配設した時）に確実に架設ピン部３が上部Ｖ字状部４ａの谷部に位置するように構成した為、正しい取付姿勢に交差部４に被嵌された被嵌係止取付部２が、仮に位置ズレしてこの交差部４に対して取付姿勢を傾けようとした際に一層確実にこの交差部４の上部Ｖ字状部４ａの交差する部材のいずれか一方に前記架設ピン部３が当接し、よって、被嵌係止取付部２の取付姿勢が傾くことを架設ピン部３と交差部４のＶ字状部４ａの交差する部材との当接によって阻止する本発明の上記姿勢保持機能が一層確実に発揮されることとなる。
【００３０】
また、被嵌係止取付部２が板材を後方へ折曲して垂下した折り返し状とした為、簡単に生産できるだけでなく、例えば線材でこの被嵌係止取付部２を構成した場合に比して、簡単に強度の秀れた構成を実現でき、一層良好に、且つ簡単に本発明品を実現可能となる。
【００３１】
また、例えば、前記被嵌係止取付部２は、上方から被嵌係止するコ字状に形成し左右に開放部を有する構成とし、この被嵌係止取付部２に架設する前記架設ピン部３の位置を、この架設ピン部３が前記交差部４の上部Ｖ字状部４ａの谷部に当接配設するように、若しくは前記被嵌係止取付部２が前記交差部４の上部Ｖ字状部４ａの谷部より上側のＶ字辺部に当接し且つ前記架設ピン部３がこの上部Ｖ字状部４ａの谷部に位置するように設定した場合には、被嵌係止取付部２をコ字状の構成を採用したことで、部材が交差する交差部４にこの被嵌係止取付部２を確実且つ良好に上方から被嵌係止させることが可能な形状で、しかも、例えば板材を折曲するなどして極めて簡単に形成可能なコ字状の構成を採用したことで一層生産が容易となり、量産性の向上を一層確実に図り得ることとなる。
【００３２】
また、架設ピン３の位置が、前記交差部４の上部Ｖ字状部４ａの谷部に当接する位置、若しくは、前記被嵌係止取付部２が前記交差部４の上部Ｖ字状部４ａの谷部より上側のＶ字辺部に当接し且つ前記架設ピン部３がこの上部Ｖ字状部４ａの谷部に位置するように設定した為、この被嵌係止取付部２が交差部４に当接、若しくは架設ピン部３が交差部４に当接することで発揮される基体Ａのガタつき阻止機能や基体Ａの取付姿勢保持機能が一層確実に発揮されることとなる。
【００３３】
従って、本発明品は、例えば複数の格子材がＸ状に交差配設された園芸用のラティスパネルの壁面に、植物容器などを吊り下げ配設する吊り下げ具としての秀れた実用価値を有することとなる。
【実施例】
【００３４】
本発明の具体的な実施例について図面に基づいて説明する。
【００３５】
本実施例は、物を吊り下げるバー状部やフック状部や環状部などの係止部１を突出状態に設けた基体Ａの上部に、下方に折り返し状に形成して取付箇所４に上方から被嵌係止する被嵌係止取付部２を設け、この被嵌係止取付部２の中央部にこの被嵌係止対向方向に架設状態にして架設ピン部３を設け、前記取付箇所４が、部材が交差する交差部４である場合にこの交差部４の上部Ｖ字状部ａに前記架設ピン部３が配設されるように構成した吊り下げ具である。
【００３６】
尚、本実施例においては、前記図６に図示したように、複数の木製の格子材７をＸ字状（直交方向）に複数交差配設して格子状に構成した一般的に市販されている園芸用のラティスパネルのパネル面を取付箇所４としている。即ち、部材（格子材７）が交差する交差部４を取付箇所４としている（以下、交差部４と呼ぶ。）。
【００３７】
基体Ａに突出状態に設ける係止部１は、物を吊り下げ易い形状であればどのような形状に構成しても良いが、本実施例においては、図１に図示したように、線材をＵ字状に湾曲形成すると共に、このＵ字両端部近傍位置を同一方向に向けて折曲して、この折曲両端部を後述の基体Ａの係止部固定部５に固定してこの基体Ａにこの係止部１を突出状態に設けた構成としている。
【００３８】
また、この係止部１は、図２に図示したように、側面視において前記基体Ａからの突出先端側を下方に向けて湾曲しており、図６に図示したように、このＵ字状の係止部１の下方に湾曲された先端部に物を引っ掛けて吊り下げ配設するように構成している。
【００３９】
従って、この係止部１の先端部に物を吊り下げた際の安定性を考慮して、この係止部１の先端部は、前記基体Ａの上部に設けた被嵌係止取付部２の被嵌係止位置よりも下方側と成るように位置設定している。
【００４０】
尚、本実施例においては、この係止部１を金属製部材で構成している。
【００４１】
基体Ａは、この基体Ａの上部に板材を後方へ折曲して垂下した折り返し状の前記被嵌係止取付部２を設け、前記Ｕ字状の係止部１を突出状態に配設し固定する為の係止部固定部５を設けた構成としている。
【００４２】
具体的には、十字状の金属製板材の上部を、図１に図示したように、後方へ折曲して垂下してコ字状に形成して左右に間隙部を有する被嵌係止取付部２を上部に形成すると共に、十字状の左右に突出した板部を、図２〜図４に図示したように内側に巻き込み湾曲して筒状の係止部固定部５をこの基体Ａの長手方向両側部に一対設けた構成である。尚、この筒状の係止部固定部５を巻き込み湾曲成形する際に前記Ｕ字状の係止部１のＵ字両端部を夫々この一対の係止部固定部５に抱き込み固定することで、係止部固定部５の湾曲形成と、この係止部固定部５に前記係止部１を固定との双方の作業を同時に行って形成する構成である。
【００４３】
従って、この基体Ａは、単に板材を折曲若しくは湾曲して上部に被嵌係止取付部２を設け、前記係止部１を固定する為の係止部固定部５を湾曲形成した簡易構成で、量産性に秀れた構成である。また、前記係止部固定部５の湾曲形成と、この係止部固定部５と係止部１との固定作業との双方の作業を同時に行い形成する構成の為、効率的に生産可能で、且つ、溶接などの面倒な固定作業を一切要さない簡易生産可能な構成である。
【００４４】
尚、この係止部１の形状は本実施例に限らず、前記基体Ａから突出した位置に良好に物を引っ掛け得る形状とすれば良い。
【００４５】
この基体Ａの上部の被嵌係止取付部２は、具体的には、図１に図示したように、前記交差部４を上方から被嵌係止するコ字状に形成して左右に間隙部を有する板体としており、この被嵌係止取付部２の手前側の板部と後方側の板部の中央部間でこの被嵌係止取付部２の上端部より下方の前後方向に前記架設ピン部３を架設した構成としている。この架設ピン部３は、具体的には、前記被嵌係止取付部２の手前側の板部と後方側の板部に夫々ピン挿通孔８を互いに連通する位置に形成し、このピン挿通孔８にピン部材３ａとしてのセミチューブラリベットを先端から連通配設し、このセミチューブラリベットの先端側をリベットセッタによりリベット締めしてこの便挿通孔８を有する被嵌係止取付部２の手前側の板部と後方側の板部との中央部間に架設状態にセミチューブラリベット（ピン部材３ａ）を配設して前記架設ピン部３を構成している。尚、この架設ピン部３は本実施例の構成に限らず、例えば、ピン部材３ａとして細径のボルトを採用し、このボルトを前記被嵌係止取付部２のピン挿通孔８に連通配設してナットで締結して架設状態に設ける構成としても良く、この場合には、前記ピン部材３ａを着脱できる為、基体Ａを取り付けたい取付箇所４の形状に応じて架設ピン部３を使用したり使用しなかったりでき、用途の幅が増え一層使用者の好みのスタイルで使用できることとなる。
【００４６】
この被嵌係止取付部２の被嵌係止対向方向の対向間隔は下方程やや離間するように構成し、上端側の対向間隔は、交差部４の交差する部材（一対の格子材７）との間隔があまり多く生じないように、図２に図示したように、交差部４の直交方向に交差する一対の部材（一対の格子材７）の厚みと略同等の対向間隔（若しくは、やや広い対向間隔）に設定している。
【００４７】
従って、この被嵌係止取付部２は、コ字状でありながら下方程やや離間した形状の為、この被嵌係止取付部２を交差部４に上方からスムーズに被嵌係止することができる。
【００４８】
また、この被嵌係止取付部２は、図２及び図５に図示したように、このコ字状の被嵌係止取付部２の上板部の左右両側縁が交差部４の交差する部材（一対の格子材７）の上面（交差部４の上部Ｖ字状部４ａより上方のＶ字辺部に当接し、この被嵌係止取付部２の上板部が、このＶ字辺部の交差する部材間（一対の格子材７間）に架設状態に載置配設されるように構成している。
【００４９】
また、この被嵌係止取付部２に架設する架設ピン部３の位置は、この架設ピン部３が取付箇所４の支承部の上部Ｖ字状部４ａに当接するように、若しくは前記被嵌係止取付部２が前記交差部４の上部Ｖ字状部４ａの谷部より上側のＶ字辺部に当接し且つ前記架設ピン部３がこの上部Ｖ字状部４ａの谷部に位置するように設定している。具体的には、図５に図示したように、コ字状の被嵌係止取付部２の対向する各板部の中央部（左右方向中央部位置）にしてこのコ字状部の上端（上板部）に所定の間隔をあけて下方側位置に設けた構成で、更に具体的には、図５に図示したように、平面視において、被嵌係止取付部２の上板部の一側縁と前記ピン部材３ａとを結ぶ接線（二本の接線のうちの外側の接線），および上板部の他側縁と前記ピン部材３ａとを結ぶ接線（二本の接線のうちの外側の接線）を引くことで想定される二本の接線の交差角が９０°となるように構成している。
【００５０】
従って、ラティスパネルとして最も一般的な構成の交差部４（取付箇所４）、即ち、格子材７が直交方向に交差した交差部４にこの被嵌係止取付部２を上方から被嵌した際に、確実にこの直交方向に格子材７が交差する交差部４の上部Ｖ字状部４ａの谷部に架設ピン部３のピン部材３ａが当接配設されると共に確実にこの交差部４の上部Ｖ字状部４ａの谷部より上側のＶ字辺部に被嵌係止取付部２が架設状態に載置配設される。即ち、被嵌係止取付部２及び架設ピン部３が交差部４のＶ字状部４ａに確実に当接配設される。
【００５１】
尚、取付箇所４としての交差部４の交差する部材（格子材７）が本実施例のように直交方向に交差しておらず、例えば６０°（交差部４の上部Ｖ字状部４ａの角度が６０°となるよう）に交差していた場合には、この交差角に合わせ被嵌係止取付部２の上板部の左右両側縁夫々から前記架設ピン部３のピン部材３ａに向けて接線を引くことによって想定される二本の接線の交差角が６０°となるように構成すれば良く、このように交差１部４の上部Ｖ字状部４ａの角度に応じて前記被嵌係止取付部２と架設ピン部３との位置関係を設定して構成すれば良い。
【００５２】
本実施例は上述のように構成したから、図２及び図５に図示したように、ラティスパネルの部材（一対の格子材７）が直交方向に交差する交差部４の上部Ｖ字状部４ａに上方から被嵌係止取付部２を被嵌係止することで、この被嵌係止取付部２の上板部は図５に図示したようにこの上板部の左右両側縁を交差部４の上部Ｖ字状部４ａのやや上方のＶ字辺部に当接してこの一対の格子材７に架設状態に載置されると共に、この被嵌係止取付部２の手前側の板部と後方側の板部との間に一対の格子材７の上部Ｖ字状部４ａ及びＶ字辺部が介存配設される。更に、この被嵌係止取付部２に架設状態に設けた架設ピン部３のピン部材３ａは図２および図５に図示したように、交差部４の一対の格子材７がＶ字状に交差した上部Ｖ字状部４ａに載置状態に係止される。
【００５３】
従って、この被嵌係止取付部２が何らかの外力（例えば風など）によって前記交差部４に対して水平方向に揺動回動しようとしても、この被嵌係止取付部２に架設した架設ピン部３のピン部材３ａが交差する一対の格子材７のいずれか一方に当接する為に回動が阻止されてこの被嵌係止取付部２がこの交差部４に対して水平方向に揺動回動することが阻止されることとなる。よって、この被嵌係止取付部２を介してこの交差部４に設けた基体Ａが、被嵌係止取付部２が交差部４に対して揺動回動することが無い為安定性良くこの交差部４に基体Ａを設けられることとなる。
【００５４】
また、この被嵌係止取付部２が何らかの外力によって前記交差部４に対して取付姿勢を傾けようとしても、この被嵌係止取付部２に架設状態に設けた架設ピン部３が交差部４の交差する一対の格子材７のいずれか一方の格子材７の上面と当接する為に、この被嵌係止取付部２の上板部がこの交差する一対の格子材７の上面に水平方向でなく傾いた方向に載置することが無く、よって、この被嵌係止取付部２の上板部が常に、交差する一対の格子材７の上面に水平方向に載置保持されることとなり、基体Ａを交差部４に常に正しい取付姿勢に取り付けることが可能となる（即ち、交差部４に対して架設ピン部３が当接してこの交差部４に対して被嵌係止取付部２の上板部が水平方向でなく傾いた方向に載置され得ない構成の為、たとえ基体Ａや被嵌係止取付部２が外力により揺れ動いたりしても、この基体Ａの自重によりこの前記被嵌係止取付部２は交差部４の上部Ｖ字状部４ａに正しい取付姿勢の状態に自然復帰し得る為である。）。
【００５５】
従って、図６に図示したように、ラティスパネルの所定の取付箇所４（交差部４）に被嵌係止取付部２を被嵌係止してこのラティスパネルの所望の位置に前記基体Ａを安定性良く取り付けることができ、この基体Ａに突出状態に設けた係止部１の先端に植物を植えた容器の上部に設けたフックを引っ掛けてこの植物を植えた容器をラティスパネルに安定性良く確実に吊り下げ配設することができる。
【００５６】
よって、本実施例は、従来例のコ字板状の取付部を設けたタイプの吊り下げ具以上に確実に基体Ａのガタつきを阻止できる上に、この基体Ａの取付姿勢が傾いてしまうことも可及的に阻止でき、図６に図示したように、交差部４（取付箇所４）に極めて安定性良く確実に物を吊り下げ配設できる上に、物を吊り下げる係止部１を突出状態に設けた基体Ａの上部に被嵌係止取付部２を設けてこのコ字状の被嵌係止取付部２に架設ピン部３を架設するだけの極めて簡易な構成で本実施例品は実現可能で、よって、あくまで従来例と同様の生産コストで生産可能であって量産性を損ねたりコストアップの問題が生じ得ず、それでいて上記の秀れたガタつき阻止及び取付姿勢保持機能を有するなど、ラティスパネルの壁面に例えば植物を植えた容器などを吊り下げて飾る為の吊り下げ具として最適な極めて実用性に秀れた画期的で商品価値の高い吊り下げ具となる。
【００５７】
尚、本発明は、本実施例に限られるものではなく、各構成要件の具体的構成は適宜設計し得るものである。
【図面の簡単な説明】
【００５８】
【図１】本実施例に係る吊り下げ具の説明斜視図である。
【図２】本実施例に係る吊り下げ具の説明側面図断面図である。
【図３】本実施例に係る吊り下げ具の説明平面断面図である。
【図４】本実施例に係る吊り下げ具の説明底面図である。
【図５】本実施例に係る吊り下げ具の説明正面断面図である。
【図６】本実施例に係る吊り下げ具の使用状態を示す斜視図である。
【符号の説明】
【００５９】
１  係止部
２  被嵌係止取付部
３  架設ピン部
４  取付箇所，交差部
４ａ  上部Ｖ字状部
Ａ  基体
【図１】
2007037838.tif 000003
【図２】
2007037838.tif 000004
【図３】
2007037838.tif 000005
【図４】
2007037838.tif 000006
【図５】
2007037838.tif 000007
【図６】
2007037838.tif 000008